(57)【要約】【課題】所望の組合せを対象とする連勝式投票券について配当情報の把握を容易にする。【解決手段】記録媒体１００に記された配当情報表２０は、識別符号領域２１と配当情報領域２３とを有する。このうち識別符号領域２１は、各競走馬に割り当てられた馬番号が各競走馬の支持率に応じた順番に配列された領域である。一方、配当情報領域２３は、競走馬の組合せを対象とする連勝式投票券の配当情報２３１の各々が、その配当情報の対象となる組合せのうち一方の競走馬の馬番号からＸ軸方向に延在する直線Ｌｘと他方の競走馬の馬番号からＹ軸方向に延在する直線Ｌｙとの交点の近傍に配された領域である。【選択図】      図１
2004355554.tif 000002
【特許請求の範囲】
【請求項１】
各投票対象に割り当てられた識別符号が各投票対象の支持率に応じた順番に配列された識別符号領域と、
投票対象の組合せを対象とする連勝式投票券の配当情報の各々が、当該配当情報の対象となる組合せのうち一方の投票対象の識別符号から第１の方向に延在する直線と他方の投票対象の識別符号から前記第１の方向とは異なる第２の方向に延在する直線との交点の近傍に配された配当情報領域と
を有する配当情報表が記された記録媒体。
【請求項２】
各投票対象の支持率に応じた支持率情報と投票対象の組合せを対象とする連勝式投票券の配当情報とを取得する取得手段と、
各投票対象に割り当てられた識別符号を前記取得手段によって取得された支持率情報に応じた順番に並べ替えるソート手段と、
各投票対象に割り当てられた識別符号が前記ソート手段によって並べ替えられた順番に配列された識別符号領域、および、前記取得手段によって取得された複数の配当情報の各々が、当該配当情報の対象となる組合せのうち一方の投票対象の識別符号から第１の方向に延在する直線と他方の投票対象の識別符号から前記第１の方向とは異なる第２の方向に延在する直線との交点の近傍に配された配当情報領域を含む配当情報表を生成する生成手段と、
前記生成手段によって生成された配当情報表を出力する出力手段と
を具備する配当情報出力装置。
【請求項３】
コンピュータに、
各投票対象の支持率に応じた支持率情報と投票対象の組合せを対象とする連勝式投票券の配当情報とを取得する取得処理と、
各投票対象に割り当てられた識別符号を前記取得処理によって取得した支持率情報に応じた順番に並べ替えるソート処理と、
各投票対象に割り当てられた識別符号が前記ソート処理によって並べ替えた順番に配列された識別符号領域、および、前記取得処理によって取得した複数の配当情報の各々が、当該配当情報の対象となる組合せのうち一方の投票対象の識別符号から第１の方向に延在する直線と他方の投票対象の識別符号から前記第１の方向とは異なる第２の方向に延在する直線との交点の近傍に配された配当情報領域を含む配当情報表を生成する生成処理と、
前記生成処理によって生成した配当情報表を出力する出力処理と
を実行させるためのプログラム。
【発明の詳細な説明】
【０００１】
【発明の属する技術分野】
本発明は、競馬、競輪、競艇またはオートレースといった各種の公営競技において、投票券に対する配当率など配当に関わる情報（以下「配当情報」という）を提供する技術に関する。
【０００２】
【従来の技術】
これらの公営競技の観戦者は、複数の競技主体のうち１または複数を選択して投票券（例えば勝馬投票券）を購入することができる。この投票に際し、投票券を購入しようとする者（以下「投票予定者」という）には配当情報が提供されるのが一般的である。具体的には、図９に例示されるように配当情報を列記した表が、用紙に印刷されて投票予定者に提供されまたは表示装置に表示される。同図に示された表は、投票の対象となる競技主体（以下「投票対象」という）の組合せを対象とした連勝式投票券の配当情報の表であり、各投票対象に付与された番号がその番号順に横方向および縦方向に配列されている。投票予定者は、横方向に配列されたいずれかの番号を選定し、その番号に対して縦方向に配列された番号のうちいずれかを選定することにより、これらの番号の組合せを対象とした連勝式投票券の配当情報を確認することができる（例えば特許文献１参照）。
【０００３】
【特許文献１】
特開２０００−７６５０６号（第１図）
【０００４】
【発明が解決しようとする課題】
しかしながら、図９に示した表においては、多数の配当情報が単に投票対象の番号に応じた順番に羅列されているに過ぎない。このため、所望の投票対象の組合せについて配当情報を確認するためには、以下に示すような煩雑な作業を要するという問題があった。いま、番号が「７」である投票対象を軸として他のすべての投票対象との組合せに係る配当情報を確認する場合を想定する。これらの組合せに対応する配当情報は、図９に破線で示すように、表内の異なる位置に分散的に配されている。このため、投票予定者は、まず番号「１」の列のなかから番号「７」との組合せに係る配当情報を探し出し、次いで番号「２」の列のなかから番号「７」との組合せに係る配当情報を探し出すといった具合に、「１」から「６」までの各番号に対応する配当情報の列ごとに所望の番号「７」に対応する配当情報を確認する必要がある。
【０００５】
本発明は、このような事情に鑑みてなされたものであり、所望の組合せを対象とする連勝式投票券（拡大連勝式投票券を含む）について配当情報の把握を容易にすることを目的としている。
【０００６】
【課題を解決するための手段】
上記課題を解決するために、本発明に係る記録媒体は、識別符号領域と配当情報領域とを有する配当情報表が記されたことを特徴とする。このうち識別符号領域は、各投票対象に割り当てられた識別符号が各投票対象の支持率に応じた順番に配列された領域である。一方、配当情報領域は、投票対象の組合せを対象とする連勝式投票券の配当情報の各々が、当該配当情報の対象となる組合せのうち一方の投票対象の識別符号から第１の方向に延在する直線と他方の投票対象の識別符号から第１の方向とは異なる第２の方向に延在する直線との交点の近傍に配された領域である。なお、「記録媒体」とは、文字、記号、図形など各種の情報が記され得るすべての媒体を含む概念であり、例えば用紙である。
【０００７】
この記録媒体に記された配当情報表によれば、連勝式投票券に対する配当情報の各々が、当該配当情報の対象となる組合せのうち一方の投票対象の識別符号から第１の方向に延在する直線と他方の投票対象の識別符号から第２の方向に延在する直線との交点の近傍に配されている。したがって、例えば投票予定者は、ひとつの投票対象の識別符号から第１の方向または第２の方向に配当情報表を辿ることにより、その着目している投票対象と他の投票対象との組合せを対象とする連勝式投票券の配当情報を順次に把握することができる。しかも、各投票対象の識別符号は、各投票対象の支持率に応じた順番に配列されている。したがって、着目している投票対象を含む連勝式投票券の配当情報を、組合せの相手となる投票対象の支持率に応じた順番で確認することができる。
また、複数の配当情報は、第１の方向および第２の方向にわたってマトリクス状に（すなわち格子点上に）配列されることとなる。加えて、各投票対象の識別符号は支持率に応じた順番に配列されている。したがって、複数の配当情報の分布を面的に把握することができるという利点がある。例えば、複数の配当情報は、原則的には、最も支持率の高い組合せの配当情報の位置から離れるほど支持率が低い配当情報となるように分布する。この分布の傾向は、競技（レース）ごとに異なるのが一般的である。例えば、多くの投票がひとつの投票対象に集中している競技（ひとつの投票対象の支持率が他の投票対象の支持率と比較して顕著に高いレース）と、複数の投票対象に投票が分散している競技（いわゆる人気が割れているレース）とでは連勝式投票券の配当情報の分布が異なる。したがって、競技ごとに配当情報の分布を確認することによって、その競技に関わる投票の傾向を把握することができる。そして、この傾向は、投票券の購入に際して投票対象を予想する指標として役立てることができるのである。
【０００８】
本発明は、競馬、競輪、競艇およびオートレースといった種々の公営競技のいずれについても、その配当情報を投票予定者に提供するために適用され得る。本発明における「投票対象」とは、競技を行なう主体である。具体的には、競馬にあっては「馬（または騎手）」が投票対象に相当し、競輪、競艇およびオートレースにあっては「選手」が投票対象に相当する。また、「支持率」とは、各投票対象に対する投票の多少に応じて算定される数値であり、支持の多少を表す数値のほか、単勝式投票券や複勝式投票券の配当情報をも含んでいる。また、「識別符号」とは、１回の競技（レース）に際して投票対象を識別するために各投票対象に対して固有に割り当てられる文字や数字、記号その他の符号である。本発明においては、各投票対象の識別符号の近傍に、その投票対象に関する各種の情報を併記するようにしてもよい。
【０００９】
一方、本発明における「配当情報」とは、投票券に対する払い戻し金額を算定するための情報であり、投票券の購入金額に対する払い戻し金額の倍率（オッズ）のほか、投票券の単位購入金額に対する払い戻し金額自体をも含む概念である。なお、本発明に係る配当情報表は、主として、これから投票券を購入しようとする者に配当情報を提供するための表である。したがって、この表に含められる配当情報は、基本的には、最終的に確定した配当を示すものではなく、その表が作成された時点における予想配当を示すこととなる。また、本発明において配当情報領域に配される配当情報としては、連勝単式、連勝複式または拡大連勝複式（いわゆるワイド）といった各種の賭式に応じた投票券の配当情報がある。各交点に配される配当情報は、ひとつの種類の賭式に対応したものに限られない。すなわち、それぞれ賭式が異なる投票券を対象とした複数の配当情報が各交点に併せて配されるようにしてもよい。この構成によれば、投票予定者は、それぞれ賭式が異なる複数種類の配当情報を一括して容易に把握することができる。
【００１０】
また、本発明においては、識別符号領域に含められた複数の投票対象に関するすべての組合せについて配当情報が記される必要は必ずしもない。例えば、支持率の低い投票対象同士の組合せを対象とした配当情報については適宜に省略され得る。すなわち、識別符号領域に含まれる複数の識別符号のうち一部の識別符号については、第１の方向に延在する直線と第２の方向に延在する直線とのいずれか一方のみと他の直線との交点の近傍のみに配当情報を配する構成としてもよい。この構成によれば、すべての組合せについて配当情報が記される場合と比較して配当情報表の占めるスペースを低減することができる。
【００１１】
一方、本発明に係る配当情報出力装置は、上述した配当情報表を作成して出力することを特徴とする。すなわち、この装置は、各投票対象に割り当てられた識別符号を支持率情報に応じた順番に並べ替えるソート手段と、各投票対象に割り当てられた識別符号がソート手段によって並べ替えられた順番に配列された識別符号領域、および、複数の配当情報の各々が、当該配当情報の対象となる組合せのうち一方の投票対象の識別符号から第１の方向に延在する直線と他方の投票対象の識別符号から第１の方向とは異なる第２の方向に延在する直線との交点の近傍に配された配当情報領域を含む配当情報表を生成する生成手段と、この配当情報表を出力する出力手段とを具備する。この発明によれば、上記記録媒体と同様の配当情報表が出力されるから、所望の組合せを対象とする連勝式投票券について配当情報の把握を容易にすることができる。
【００１２】
なお、この装置において、取得手段による支持率情報および配当情報の取得元は不問である。すなわち、取得手段は、外部のサーバ装置から情報を取得してもよいし、装置の内部に設けられた記憶装置から情報を取得してもよいし、利用者による入力装置への操作に応じて情報を取得してもよい。また、出力手段による配当情報表の出力先についても不問である。すなわち、出力手段による配当情報表の出力先としては、例えば、配当情報表を用紙などの記録媒体に印刷する印刷装置や、配当情報表を表示する表示装置がある。配当情報表を表示装置に表示させる場合には、この配当情報表に含まれる各交点のうち投票予定者によって選択された交点を検出する検出手段と、この検出手段によって検出された交点に対応する連勝式投票券を発行する発行手段とをさらに設けてもよい。この検出手段の典型的な例は、表示装置の表示面と重なるように設けられ、その表示面のうち利用者によって押圧された箇所を検出するタッチパネルである。また、出力手段が、直接的にまたはネットワークを介して間接的に他の通信端末（パーソナルコンピュータや携帯通信端末など）に対して配当情報表を出力する構成としてもよい。
【００１３】
また、本発明に係るプログラムは、コンピュータを配当情報出力装置として機能させることを特徴とする。このプログラムによっても、上記記録媒体と同様の配当情報表が出力されるから、所望の組合せを対象とする連勝式投票券について配当情報の把握を容易にすることができる。なお、本発明に係るプログラムは、ネットワークを介した配信によってコンピュータに提供されるものであってもよいし、光ディスクに代表される各種の記録媒体に格納された形態で提供されてコンピュータにインストールされるものであってもよい。
【００１４】
【発明の実施の形態】
＜Ａ：配当情報表の構成＞
まず、図１を参照して、本発明の実施形態に係る記録媒体について説明する。なお、本実施形態においては、公営競技のうち競馬の配当情報について本発明を適用した形態を例示する。また、以下では、図１に示す記録媒体に対して、相互に直交するＸ軸（図１における横方向）とＹ軸（図１における縦方向）とを想定する。
【００１５】
同図に示すように、記録媒体１００は、競技情報１０と配当情報表２０とが印刷された用紙である。このうち競技情報１０は、配当情報表２０の対象となる１回の競技（レース）に関する各種の情報であり、配当情報表２０の近傍に表記される。図１においては、競技情報１０として、開催日（開催年月日や開催回数）、競技場所（競馬場の名称）、レース番号、レース名およびレース条件（オープン／１６００万下といった条件の別）が表記されている。また、配当情報は、各投票予定者による投票の内容に応じて時々刻々と変動するのが一般的である。そこで、図１に示す記録媒体１００には、配当情報表２０の作成された時刻が競技情報１０として表記されている。この他に、コース区分（芝／ダート／障害の別、または右回り／左回りの別など）、レース区分（ハンデ戦／別定戦／定量戦の別、または牡馬・牝馬混合戦／牝馬限定戦／父内国産馬限定戦の別など）、競走距離、馬場状態または天気といった各種の情報を競技情報１０に含ませてもよい。
【００１６】
一方、配当情報表２０は、競走馬の組合せを対象とした連勝式投票券の配当情報２３１が列記された帳票であり、識別符号領域２１と配当情報領域２３とを含んでいる。このうち識別符号領域２１は、各々に異なる馬番号が表記された複数の単位領域２１１を含む領域である。複数の単位領域２１１は、Ｘ軸と特定の角度をなす方向に一列に並べられている。一方、各単位領域２１１に対して配当情報領域２３を挟んだ上方には、その単位領域２１１に表記された馬番号を対象とする単勝式投票券の配当率２５１が表記されている。この配当率２５１の数値から判るように、各競走馬の馬番号は、単勝式投票券の配当率が低い順に並ぶように（すなわち支持率が高い順に並ぶように）各単位領域２１１に表記されている。すなわち、図１に示すように、単勝式投票券の配当率が最も低い競走馬（配当率「１．３」）の馬番号「１２」が最上段の単位領域２１１に表記され、単勝式投票券の配当率が次に低い競走馬（配当率「３．５」）の馬番号「４」が上から数えて第２番目の単位領域２１１に表記され、単勝式投票券の配当率が最も高い競走馬（配当率「１７６．５」）の馬番号「１１」が最下段の単位領域２１１に表記されるといった具合である。なお、図１の例では、単勝式投票券の配当率２５１に併せて、各競走馬を対象とした複勝式投票券の配当率２５２が表記されている。また、図１における配当率２５１の上方に表記された漢数字２５３は、各馬番号に対してその配列順に割り当てられた数字である。したがって、漢数字２５３は、各競走馬の支持率の順位を表す数字に相当する。
【００１７】
馬番号が表記された単位領域２１１は、その馬番号が割り当てられた競走馬に関する各種の情報が表記された領域２１１ａを含んでいる。この領域２１１ａに含められる情報としては、例えば、枠番号、馬体重の増減、負担重量（いわゆる斤量）、性別、毛色、年齢、馬名、騎手名、厩舎名などがある。また、予想を表す印（「◎」や「〇」など）や、勝馬の予想に用いられる各種の指数（例えば、いわゆる人気指数）を領域２１１ａに含めてもよい。なお、これらの情報は単位領域２１１の外側に表記されてもよい。
【００１８】
一方、配当情報領域２３には、複数の単位領域２１１の各々からＸ軸方向に延在する直線Ｌｘと、これと交差するようにＹ軸方向に延在する直線Ｌｙとが表記されている。ただし、上から数えて第１番目の単位領域２１１（すなわち支持率が最も高い競走馬の馬番号が表記された単位領域２１１）については、Ｘ軸方向に延在する直線Ｌｘのみが表記される。したがって、各単位領域２１１から延在する直線ＬｘおよびＬｙの交点Ｃは、Ｘ軸方向およびＹ軸方向にわたってマトリクス状に分布する。連勝式投票券の配当情報２３１は、これらの交点Ｃの近傍に表記される。さらに詳述すると、いずれかの馬番号の単位領域２１１からＸ軸方向に延在する直線Ｌｘと、他の馬番号の単位領域２１１からＹ軸方向に延在する直線Ｌｙとの交点Ｃの近傍には、これらの馬番号の組合せを対象とする連勝式投票券の配当情報２３１が配置されている。例えば、図１に示す交点Ｃａの近傍には、馬番号が「４」である競走馬と馬番号が「１」である競走馬との組合せを対象とした連勝式投票券の配当情報２３１が表記されている。
【００１９】
図２は、図１における交点Ｃａの周辺を拡大して示す図である。交点Ｃａ以外の他の交点Ｃの近傍も図２と同様の構成となっている。同図に示すように、配当情報２３１は、直線Ｌｘと直線Ｌｙとの交点Ｃａに対して右下に配置される。この配当情報２３１は、それぞれ異なる賭式に対応した複数種類の投票券に対する配当率を含んでいる。具体的には、図２に示すように、馬番連勝複式の配当率２３１ａと、拡大連勝複式の配当率２３１ｂと、馬番連勝単式の配当率２３１ｃおよび２３１ｄとが配当情報２３１に含められている。ここで、馬番連勝単式の配当率は、いわゆる「表（おもて）」と、その着順を入れ替えた「裏」とで異なるのが一般的である。このため、図２に示されるように、着目している交点Ｃに対してＸ軸方向に位置する馬番号の競走馬（交点Ｃａについては馬番号「４」の競走馬）を第１着とし、その交点Ｃに対してＹ軸方向に位置する馬番号の競走馬（交点Ｃａについては馬番号「１」の競走馬）を第２着とした投票券を「表」、この着順を入れ替えた投票券を「裏」として、「表」の配当率２３１ｃおよび「裏」の配当率２３１ｄの双方が配当情報２３１に含められる。
【００２０】
以上に示された記録媒体１００によれば、着目する馬番号からＸ軸方向またはＹ軸方向に沿って配当情報表２０を辿ることにより、その着目している馬番号と他の馬番号との組合せを対象とする連勝式投票券の配当情報２３１を容易に把握することができる。例えば、図１に示した馬番号「１」に着目すると、その馬番号が表記された単位領域２１１からＹ軸方向に配当情報表２０を辿ることによって、その馬番号「１」と、馬番号「１６」、「１３」、「１４」、「８」、「４」または「１２」との組合せを対象とした連勝式投票券の配当情報２３１をこの順番で速やかに把握することができる。同様に、馬番号「１」からＸ軸方向に配当情報表２０を辿ることによって、その馬番号「１」と、馬番号「３」、「６」、「９」、「２」、「７」、「１５」、「５」、「１０」または「１１」との組合せを対象とした連勝式投票券の配当情報２３１をこの順番で速やかに把握することができる。
【００２１】
さらに、各組合せを対象とした複数の配当情報２３１は、Ｘ軸方向とＹ軸方向とにわたってマトリクス状に配列する。加えて、各競走馬の馬番号は単勝式投票券の配当率が低い順に（すなわち人気順に）配列されている。したがって、投票予定者は、配当情報２３１の分布（例えば配当率の分布）を把握することができる。具体的には、単勝式投票券の配当率が最も低い競走馬と第２番目に低い競走馬との組合せを対象とした連勝式投票券の配当率が最も低く、その交点から右方向または下方向に離れるにつれて配当率が高くなるように各配当情報が分布するといった具合である。したがって、投票券の対象とすべき競走馬を判断するときに、この分布の傾向を予想の指標として役立てることができる。
【００２２】
なお、図３に示すように、単位領域２１１からＸ軸方向およびＹ軸方向に延在する直線は、投票予定者に視認され得る態様で表記されたものでなくてもよい。同図に示す配当情報表２０ａは、各単位領域２１１からＸ軸方向およびＹ軸方向に延びる直線ＬｘおよびＬｙが表記されず、これらの直線の交点Ｃのみが表記されている。また、図１においては、各競走馬に関する単勝式投票券の配当率２５１がＸ軸方向に配列された構成を例示したが、図４に示す配当情報表２０ｂのように、配当率２５１や漢数字２５３がＹ軸方向に配列されていてもよい。
【００２３】
図５に示すように、支持率の低い（すなわち単勝式投票券の配当率が高い）競走馬同士の組合せを対象とした連勝式投票券の配当情報２３１は適宜に省略され得る。同図に示す配当情報表２０ｃは、合計１６頭の競走馬のうち支持率の高い順に数えて合計１０頭までの馬番号がＸ軸と特定の角度をなす方向に配列された単位領域２１１に表記される一方、残りの競走馬の馬番号はＸ軸と平行な方向に配列された単位領域２１１に表記されている。そして、前者に係る合計１０頭の馬番号についてはＸ軸方向に延在する直線ＬｘとＹ軸方向に延在する直線Ｌｙとの双方が表記されるのに対し、後者に係る合計６頭の馬番号についてはＹ軸方向に延在する直線Ｌｙのみが表記されている。したがって、支持率が低い合計６頭のなかから選択した競走馬の組合せについては、配当情報２３１が省略されることとなる。一般的に、支持率の低い競走馬同士の組合せを対象とした連勝式投票券が当選することは極めて稀であると言えるから、図５に示したように配当情報２３１の一部を省略したとしても特段の問題は生じない。一方、支持率の高い競走馬と支持率の低い競走馬との組合せを対象とした連勝式投票券が当選する可能性は必ずしも低いとは言えない。図５に示した配当情報表２０ｃによれば、配当情報２３１の一部を省略しているにも拘わらず、支持率の高い競争馬と支持率の低い競走馬との組合せを対象とした配当情報２３１は表記されているから、投票券の対象とすべき競走馬を予想するときの有効性は図１に示した配当情報表２０と比較しても大幅に損なわれることはない。
【００２４】
配当情報２５１が配置される位置は交点Ｃの近傍であればよく、例えば図４に示したように、各交点Ｃの左下に配当情報２５１が配置されていてもよい。あるいは、賭式に応じた複数の配当率の各々を交点の周囲に配置してもよい。すなわち、図６に示すように、交点Ｃを中心として直線ＬｘおよびＬｙによって仕切られた４つの領域の各々に異なる賭式の配当率２３１を表記してもよい。図６の例においては、交点Ｃに対して左上の領域に馬番連勝複式の配当率２３１ａが表記され、右上の領域に拡大連勝複式の配当率２３１ｂが表記され、左下の領域に馬番連勝単式の「表」の配当率２３１ｃが表記され、右下の領域に「裏」の配当率２３１ｄが表記されている。このように、配当情報２５１は、投票予定者が複数の交点のいずれに対応しているのかを判別し得る位置に配置されていればよい。
【００２５】
なお、以上に説明した各配当情報表（２０、２０ａ、２０ｂまたは２０ｃ）においては、馬番号に代えて枠番号を識別符号領域２１に配列させてもよい。ここで、ひとつの枠番号に複数の競走馬（例えば２頭または３頭の競走馬）が属する場合、その枠番号に属する各競走馬を対象とした単勝式投票券は販売されるものの、その枠番号自体を対象とした単勝式投票券は販売されない。したがって、この枠番号について単勝式投票券の配当率は算定されないのが通常である。このため、識別符号領域２１に枠番号が表記される場合には、枠番連勝式投票券の配当情報など単勝式の配当率以外の情報に基づいて各枠番号ごとの支持率が算定され、その支持率の高低の順番に枠番号が配列されることとなる。
【００２６】
また、図１および図３から図５においては単位領域２１１を矩形状としたが、その他の形状であってもよい。あるいは、単位領域２１１を設けることなく馬番号のみを識別符号領域２１に配列させてもよい。また、直線Ｌｘと直線Ｌｙとは異なる方向に延在して相互に交差する構成であればよく、これらの直線が直交する必要は必ずしもない。さらに、以上に例示した構成を適宜に組み合わせてもよい。
【００２７】
＜Ｂ：配当情報出力装置＞
次に、本発明の実施形態に係る配当情報出力装置について説明する。この装置は、上述した配当情報表を生成して出力する装置である。図７に示すように、配当情報出力装置５０は、プログラムを実行することにより各種の機能を実現するＣＰＵ５１と、ＣＰＵ５１によって実行されるプログラムや各種のデータを記憶する記憶装置５２と、配当情報表を出力する出力装置５５とを有する。このうち記憶装置５２には、配当情報表を作成して出力装置５５に出力する機能を実現するためのプログラムが記憶されている。さらに、記憶装置５２には、競技の対象となる競走馬の馬番号と、各競走馬の単勝式投票券の配当率と、競走馬の各組合せを対象とする連勝式投票券の配当情報とが記憶される。これらの情報は、装置５０の外部に設けられたサーバ装置（図示略）からネットワークを介して取得されたものであってもよいし、予め記憶装置５２に記憶されたものであってもよいし、利用者によって入力されたものであってもよい。一方、出力装置５５は、配当情報表を表示する表示装置５５１や、配当情報表を用紙などの記録媒体に印刷する印刷装置５５２や、他の端末装置（図示略）に対して直接的にまたはネットワークを介して間接的に配当情報表を送信する通信装置５５３のうち少なくともひとつを含む。
【００２８】
次に、図８は、プログラムを実行したＣＰＵ５１による処理の流れを示すフローチャートである。同図に示すように、ＣＰＵ５１はまず、各競走馬の馬番号と単勝式投票券の配当率と連勝式投票券の配当情報とを記憶装置５２から読み出し（ステップＳ１）、読み出した馬番号を単勝式投票券の配当率の降順に、すなわち支持率の昇順に並べ替える（ステップＳ２）。次いで、ＣＰＵ５１は、ステップＳ２にて並べ替えた馬番号を含む識別符号領域と、ステップＳ１にて読み出した連勝式投票券の配当情報が対応する交点に配置された配当情報領域とを含む配当情報表を生成する（ステップＳ３）。ここで生成される配当情報表の内容は図１および図３から図５を参照して説明した通りである。そして、ＣＰＵ５１は、ステップＳ３にて生成した配当情報表を出力装置５５に出力する（ステップＳ４）。このように、本実施形態に係る配当情報出力装置５０によれば、図１に示された配当情報表２０を作成して出力することができるから、記録媒体１００について上述したのと同様の効果が得られる。
【００２９】
【発明の効果】
以上説明したように、本発明によれば、所望の組合せを対象とする連勝式投票券について配当情報の把握を容易にすることができる。
【図面の簡単な説明】
【図１】配当情報表が記された記録媒体の構成を示す図である。
【図２】配当情報表の一部を拡大して示す図である。
【図３】配当情報表の他の例を示す図である。
【図４】配当情報表の他の例を示す図である。
【図５】配当情報表の他の例を示す図である。
【図６】配当情報表の他の例の一部を拡大して示す図である。
【図７】配当情報出力装置の構成を示すブロック図である。
【図８】配当情報出力装置の動作を示すフローチャートである。
【図９】従来の配当情報表の内容を示す図である。
【符号の説明】
１００……記録媒体、１０……競技情報、２０，２０ａ，２０ｂ，２０ｃ……配当情報表、２１……識別符号領域、２１１……単位領域、２３……配当情報領域、２３１（２３１ａ，２３１ｂ，２３１ｃ，２３１ｄ）……配当情報、Ｌｘ，Ｌｙ……直線、Ｃ，Ｃａ……交点、５０……配当情報出力装置、５１……ＣＰＵ（取得手段、ソート手段、生成手段、出力手段）、５２……記憶装置、５５……出力装置。
【図１】
2004355554.tif 000003
【図２】
2004355554.tif 000004
【図３】
2004355554.tif 000005
【図４】
2004355554.tif 000006
【図５】
2004355554.tif 000007
【図６】
2004355554.tif 000008
【図７】
2004355554.tif 000009
【図８】
2004355554.tif 000010
【図９】
2004355554.tif 000011